(57)【要約】【課題】Ｐ２Ｐネットワーク中で共用情報と個人用情報を同時に扱うことができる情報共有装置及び方法、並びにプログラム及び記憶媒体を提供することにある。【解決手段】文書ビュワーは、配布されて来た文書データ（共用情報）にメモデータ（個人用情報）が付属している場合において、子ノードの接続要求時に知らされている情報に基づく判別の結果、子ノードが自装置と同じ所有者のノードと同じときは、文書データとメモデータを子ノードに送信する。【選択図】図９
2007102261.tif 000002
【特許請求の範囲】
【請求項１】
装置間で直接情報の通信を行うことにより共有情報を拡散伝達するネットワークのノードとして機能する情報共有装置において、
装置の属するグループを定める装置グループ決定手段と、
同じグループの装置間では直接接続となるようネットワーク接続設定を行うネットワーク接続手段とを有することを特徴とする情報共有装置。
【請求項２】
前記装置グループ決定手段は、複数の装置に同じ外部記憶媒体を用いた場合、当該外部記憶媒体を介して前記複数の装置を同じグループであると認識することを特徴とする請求項１記載の情報共有装置。
【請求項３】
前記外部記憶媒体は、装置のＩＰアドレスを記憶することを特徴とする請求項２記載の情報共有装置。
【請求項４】
前記共有情報は、個人用情報を付与することができる文書データであり、当該個人的に付与した情報は同じ所有者の装置間でのみ共有されることを特徴とする請求項１乃至３のいずれか１項に記載の情報共有装置。
【請求項５】
装置間で直接情報の通信を行うことにより共有情報を拡散伝達するネットワークのノードとして機能する情報共有装置の情報共有方法において、
装置の属するグループを定める装置グループ決定ステップと、
同じグループの装置間では直接接続となるようネットワーク接続設定を行うネットワーク接続ステップとを有することを特徴とする情報共有方法。
【請求項６】
前記装置グループ決定ステップは、複数の装置に同じ外部記憶媒体を用いた場合、当該外部記憶媒体を介して前記複数の装置を同じグループであると認識することを特徴とする請求項１記載の情報共有方法。
【請求項７】
前記外部記憶媒体は、装置のＩＰアドレスを記憶することを特徴とする請求項２記載の情報共有方法。
【請求項８】
前記共有情報は、当該文書データに対して個人用情報を付与することができできる文書データであり、当該個人的に付与した情報は同じ所有者の装置間でのみ共有されることを特徴とする請求項１乃至３のいずれか１項に記載の情報共有方法。
【請求項９】
装置間で直接情報の通信を行うことにより共有情報を拡散伝達するネットワークのノードとして機能する情報共有方法において、
装置の属するグループを定める装置グループ決定モジュールと、
同じグループの装置間では直接接続となるようネットワーク接続設定を行うネットワーク接続モジュールとをコンピュータに実行させることを特徴とする情報共有プログラム。
【請求項１０】
請求項９記載のプログラムを格納することを特徴とするコンピュータ読取り可能な記憶媒体。
【発明の詳細な説明】
【技術分野】
【０００１】
本発明は、情報共有装置及び方法、並びにプログラム及び記憶媒体に関する。
【背景技術】
【０００２】
コンピュータネットワークが普及するにつれ、サーバ・クライアントモデルによるシステムの欠点が問題となることが多くなった。サーバ一極に負荷が集中してしまうため、そこがボトルネックとなってシステム全体のパフォーマンスが低下するという問題である。
【０００３】
この問題の解決策として近年注目されているのが、Ｐ２Ｐ(Peer-to-Peer)ネットワークシステムである。これは、ノードとして機能する装置間で直接通信を行うことにより、サーバの負担をクライアントに分散負担し、システム全体でのパフォーマンス向上を狙ったものである。様々な機器によるコンピュータネットワークの利用が加速している中で、機器が自身で負荷を担うＰ２Ｐネットワークシステムは、今後更に利用が広まっていくと考えられる。特に、Ｐ２Ｐネットワークシステムでは、情報を拡散、配布することに適しているため、デジタルコンテンツ配信という分野での利用が期待される。このようなＰ２Ｐネットワークシステムにおける先行技術として、特許文献１が存在する。
【０００４】
上記のような様々な機器によるコンピュータネットワークの普及は、個人で複数の機器を利用する事態も生んでいる。携帯用、据え置き用といった用途に合わせた機器の使い分けである。Ｐ２Ｐネットワークシステムは、これら複数の機器の間で同じ情報の共有を有効にする技術であり、機器の所有者の概念がないままでの全機器、全機器利用者での情報共有は可能だが、全ての機器を同一に扱うため、所有者の概念を導入するには工夫が必要である。
【特許文献１】特開２００５−１２２６９３号公報
【発明の開示】
【発明が解決しようとする課題】
【０００５】
すなわち、セキュリティ、ネットワークの効率的な利用の観点から、所有者個人の情報を扱う際には、他者のノードを介することなく所有者の機器のみで情報共有が行われるべきである、。そのため、グループを考慮した上でのＰ２Ｐネットワークシステムの構築手法が求められる。
【０００６】
本発明の目的は、Ｐ２Ｐネットワーク中で共用情報と個人用情報を同時に扱うことができる情報共有装置及び方法、並びにプログラム及び記憶媒体を提供することにある。
【課題を解決するための手段】
【０００７】
上記の目的を達成するために、請求項１記載の情報共有装置は、装置間で直接情報の通信を行うことにより共有情報を拡散伝達するネットワークのノードとして機能する情報共有装置において、装置の属するグループを定める装置グループ決定手段と、同じグループの装置間では直接接続となるようネットワーク接続設定を行うネットワーク接続手段とを有することを特徴とする。
【０００８】
請求項５記載の情報共有方法は、装置間で直接情報の通信を行うことにより共有情報を拡散伝達するネットワークのノードとして機能する情報共有装置の情報共有方法において、装置の属するグループを定める装置グループ決定ステップと、同じグループの装置間では直接接続となるようネットワーク接続設定を行うネットワーク接続ステップとを有することを特徴とする。
【０００９】
請求項９記載の情報共有プログラムは、装置間で直接情報の通信を行うことにより共有情報を拡散伝達するネットワークのノードとして機能する情報共有方法において、装置の属するグループを定める装置グループ決定モジュールと、同じグループの装置間では直接接続となるようネットワーク接続設定を行うネットワーク接続モジュールとをコンピュータに実行させることを特徴とする。
【００１０】
請求項１０記載のコンピュータ読取り可能な記憶媒体は、請求項９記載のプログラムを格納することを特徴とする。
【発明の効果】
【００１１】
装置の属するグループを定め、同じグループの装置間では直接接続となるようネットワーク接続設定を行うので、Ｐ２Ｐネットワーク中で共用情報と個人用情報を同時に扱うことができる。
【発明を実施するための最良の形態】
【００１２】
以下、本発明の実施の形態を図面を参照しながら詳述する。
【００１３】
図１は、本発明の実施の形態に係る情報共有装置の外観を概略的に示す部分外観斜視図である。
【００１４】
図１の文書ビュワー２０１（情報共有装置）は、携帯可能な電子文書閲覧装置であり、電子文書の存在をアイコンと文書名２０３で表示する液晶タッチパネル２０２と、無線ネットワーク接続部２０７を有する。液晶タッチパネル２０２上の文書の閲覧や削除等の操作は、タッチペン２０４により可能である。これらのタッチペン２０４の操作により、図３に示すように、文書の内容３０１を表示することができ、液晶タッチパネル２０２上にメモ情報３０２を追記することができる。また、文書ビュワー２０１は、図示しないＵＳＢポートを有し、これに接続されたＵＳＢメモリ（図２の２２０）に記憶された所有者情報を読み出すことにより、文書ビュワー２０１の所有者情報の設定を行うことができる。
【００１５】
文書ビュワー２０１は、Ｐ２Ｐネットワークシステムとして構成された文書配信システムのノードとして構成されている。文書ビュワー２０１は、無線ネットワーク接続部２０７を介して配布文書が配信され、また、配信の効率化のため、他の文書ビュワーへの配信を行うこともある。
【００１６】
図２は、図１の文書ビュワー２０１のハードウェア構成を概略的に示すブロック図である。
【００１７】
図２において、文書ビュワー２０１は、一般的なＰＣ（パーソナルコンピュータ）とほぼ同様の構成である。すなわち、文書ビュワー２０１は、互いに夫々接続されたＣＰＵ２１１、メモリ２１２、ＨＤ装置２１３、無線ネットワークＩ／Ｆ２１４、表示ボード２１５、及び周辺コントローラ２１８を備える。表示ボード２１５には、液晶ディスプレイ装置２１６が接続され、周辺コントローラ２１８には、液晶タッチパネル２０２及びＵＳＢＩ／Ｆ２２１が接続されている。ＵＳＢＩ／Ｆ２２１には、ＵＳＢメモリ２２０（外部記憶媒体）を接続することができる。
【００１８】
ＨＤ（ハードディスク）装置２１３は、文書ビュワー２０１の動作を司る後述する図４の文書ビュワーソフトウェア（プログラム）等を格納する２次記憶装置である。ＣＰＵ２１１は、それら記憶された文書ビュワーソフトウェアをロードして文書ビュワー２０１を動作させる。配布文書は無線ネットワークＩ／Ｆ２１４を通してＨＤ装置２１３に記憶される。配布する場合には、逆にＨＤ装置２１３から無線ネットワークＩ／Ｆ２１４を介して配送される。配布文書やメモは表示ボード２１５を介して液晶ディスプレイ装置２１６に表示される。利用者のタッチペン２０４による文書やメモへの操作は周辺コントローラ２１８によって統括される液晶タッチパネル２０２を通してＣＰＵ２１１に伝達される。機器所有者情報を記憶したＵＳＢメモリ２２０はＵＳＢ Ｉ／Ｆ２２１、周辺コントローラ２１８を介してその記憶した情報が読み出される。
【００１９】
図４は、図２におけるＣＰＵ２１１によって実行される文書ビュワーソフトウェアの機能構成を概略的に説明する図である。
【００２０】
図４において、文書ビュワーソフトウェア４００は、後述する図５の所有者情報管理処理するための所有者情報管理部４０１，ネットワークに関する処理を行うネットワーク管理部４０２を有する。また、文書ビュワーソフトウェア４００は、配布文書とメモ情報の存在管理を行う文書管理部４０３、メモ情報の編集を管理するメモ情報編集部４０４から成る。
【００２１】
図５は、図４の所有者情報管理部４０１によって実行される所有者情報管理処理の手順を示すフローチャートである。図５の処理は、ハードウェアとしては、文書ビュワー２０１のＣＰＵ２１１が文書ビュワーソフトウェア４００を参照して実行される。
【００２２】
文書ビュワー２０１は、ＵＳＢメモリ２２０の装着に応じて処理が開始される。文書配布を受けられる同じ仕様の装置（文書ビュワー）を使い始めるときに、この装置は、以前の装置で使用したＵＳＢメモリ２２０を用いることによって、同じ人の装置として他の装置に認識され、メモリ情報が共有される等の利点がある。同じ人が複数の同機能をもつ装置（文書ビュワー）を使用する状況としては、例えば携帯用装置と家庭据え置き用装置の組み合わせや、家庭内の各部屋に配置される装置の組み合わせがある。
【００２３】
図５において、文書ビュワー２０１は、ＵＳＢメモリ２２０が装着されると（ステップＳ５００）、ＵＳＢメモリ２２０内に、例えば図６（ａ）に示すようなノードグラフデータが記憶されているか否かを判別する（ステップＳ５０１）。上記ノードグラフデータは、同じ所有者の装置のＩＰリスト、及びＰ２Ｐネットワークシステムにおける装置の接続関係を示す（図６（ａ））。
【００２４】
ステップＳ５０１の判別において、文書ビュワー２０１の新規購入時に付属しているＵＳＢメモリ２２０には、ノードグラフデータは含まれないので、ノードグラフデータが存在する場合というのは、所有者が２台目以降の装置を利用する場合である。
【００２５】
ステップＳ５０１の判別の結果、ノードグラフデータが存在するときは、ネットワーク管理部４０２に後述する図７のノードグラフ更新処理を実行させる（ステップＳ５０２）。そして、更新したノードグラフデータをＨＤ装置２１３に保存し（ステップＳ５０４）、Ｐ２Ｐネットワークシステムへの参加を不図示のサーバに申請して（ステップＳ５０５）、本処理を終了する。
【００２６】
ステップＳ５０１の判別の結果、ＵＳＢメモリ２２０内にノードグラフデータが存在しないときは、新しいノードグラフデータを作成してこれをＵＳＢメモリ２２０に保存する（ステップＳ５０３）。そして、ステップＳ５０３以降の処理を実行して、ノードグラフのＨＤ装置２０３への保存、およびネットワークへの参加の申請処理を行って、本処理を終了する。
【００２７】
ステップＳ５０５において、Ｐ２Ｐネットワークシステムへの参加の申請時には、ユーザ自身が所有者の２台目以降の装置か否かに関する情報と、ユーザ自身のＩＰアドレスを通知する。申請先のサーバのＩＰアドレスはＵＳＢメモリ２２０内に予め記述されているものとする。ユーザ自身が所有者の１台目の装置だと申請した場合には、Ｐ２Ｐネットワークシステムへ接続するための、接続先のノードのＩＰアドレスが知らされるので、そのアドレスに接続要求を行う。不図示のサーバは、これまで登録してきたノードのうち、いずれか１つのＩＰアドレスをユーザに知らせる。なお、「ノード」とは、本実施の形態における文書ビュワーとして機能する装置のことを指す。
【００２８】
図６は、図２におけるＵＳＢメモリ２２０に記憶されたノードグラフデータを説明する図である。図６（ａ）は、同一所有者の装置のＩＰアドレスリストを示し、図６（ｂ）は、同一所有者のノード間の接続関係リストを示し、図６（ｃ）は、図６（ｂ）の関係を図示したものである。
【００２９】
本実施の形態におけるネットワークシステムは、ＩＰｖ６（Internet Protocol Version 6）により構築されるものとする。図６（ａ）に示すように、ＩＰアドレスは各装置に固有で付与されている。本実施の形態におけるＰ２Ｐネットワークシステムでは、１つのノードは最小１つ、最大３つのノードと接続可能とし、接続するノードの１つを親ノード、残りの２つを子ノードとする。以下の説明では子ノードの２つは左右で呼び分ける。文書の配布は、各ノードが親から受け取って、子に流す。
【００３０】
図６（ｂ）において、空白の部分は、別の所有者に接続されているか、又は未接続を意味する。
【００３１】
図７は、図５のステップＳ５０２で実行されるノードグラフデータ更新処理の手順を示すフローチャートである。図７の処理は、ハードウェアとしては、文書ビュワー２０１のＣＰＵ２１１が文書ビュワーソフトウェア４００を参照して実行される。
【００３２】
図７において、まず、ノードグラフデータのノードリスト（図６（ａ））に自装置のＩＰアドレス（例えば図６（ａ）では、ノード５）を登録し（ステップＳ７０１）（図８（ａ））、ノードグラフデータに自ノードを追加する位置を定める（ステップＳ７０２）。登録可能な位置は、図６（ｂ）の表中の空白部分である。ここでは、ノード４に接続を要求する（ステップＳ７０３）。このとき、自身が同じ所有者の装置として接続を要求することを伝える。
【００３３】
接続が成功しないときは（ステップＳ７０４でＮＯ）、ステップＳ７０２以降の処理により接続先の決定からやり直す。一方、接続が成功したときは（ステップＳ７０４でＹＥＳ）、ノードグラフデータを更新する（ステップＳ７０５）。更新結果は、例えば図８（ｂ）及び図８（ｃ）のようになる。
【００３４】
次いで、新しいノードグラフデータを同じ所有者の装置に配信する（ステップＳ７０６）。この配信は、ノードグラフの最も上位にあるノード（接続ルールから、ノードグラフのルートは１つのノードになる）からの配信を要求すれば、必要な全ノードへ知らせることができる。最後に、新しいノードグラフデータをＨＤ装置２１３に保存して（ステップＳ７０７）、本処理を終了する。
【００３５】
図９は、図１の文書ビュワー２０１によって実行される文書配布処理の手順を示すフローチャートである。図９の処理は、ハードウェアとしては、文書ビュワー２０１のＣＰＵ２１１が文書ビュワーソフトウェア４００を参照して実行される。
【００３６】
文書は、サーバがＰ２Ｐネットワークシステムの最上位ノードから流し、それを各ノードが子ノードへ伝達することで実現される。以下、各ノードの処理について述べる。
【００３７】
図９において、まず、親ノードが文書データを配布すると（ステップＳ９０１）、配布されて来た文書データ（共用情報）にメモデータ（個人用情報）が付属しているか否かを判別する（ステップＳ９０２）。文書データとメモデータは、ファイルとしては文書ファイルとメモファイルというように分割されてもよいし、同じファイル中で区別できるように記述されてもよい。いずれの場合も、文書ビュワー２０１の画面では、１つのアイコンで表現される。
【００３８】
ステップＳ９０２の判別の結果、メモデータが付属していないときは、文書データを子ノードに送信して（ステップＳ９０４）、本処理を終了する。一方、メモデータが付属しているときは、子ノードの接続要求時に知らされている情報（具体的には、図４の処理による情報）に基づいて、子ノードが自装置と同じ所有者のノードか否かを判別する（ステップＳ９０３）（装置グループ決定部）。
【００３９】
ステップＳ９０３の判別の結果、子ノードが自装置と同じ所有者のノードと同じでないときは、文書データを子ノードに送信し（ステップＳ９０４）、子ノードが自装置と同じ所有者のノードと同じときは、文書データとメモデータを子ノードに送信して（ステップＳ９０５）（ネットワーク接続部）、本処理を終了する。
【００４０】
子ノードからの接続要求があった場合も、自装置が保持している文書データを配布するが、これの上記処理と同じ手順で行われる。
【００４１】
メモ情報編集部におけるメモ情報周知処理について記す。メモ情報は、同じ所有者の全装置で共有されなければならない。メモが編集された装置は、所有者によるメモの編集が終了すると、ノードグラフの最上位ノードにメモ情報の周知処理を要求する。このメモ情報には、対象の文書ＩＤも添える。周知処理は、文書の配布処理とほぼ同じように処理される。異なるのは、各ノードは受け取ったメモ情報を、自身が保有していた対象文書と関連付けて保持する処理が行われることのみである。
【００４２】
上記の実施の形態では、ＵＳＢメモリ２２０を用いて所有者の同じ装置の情報、ノードグラフを保持したが、これをサーバで管理する方法を取ることもできる。その際には、サーバが所有者を同定するための認証情報と関連付けて保持される。
【００４３】
上記の実施の形態では、所有者固有の情報としてメモ情報を扱ったが、文書の付帯情報であれば特に情報の内容に制限はない。文書の整理のために分類情報を与えるような場合でも、同じ方法を用いることができる。
【００４４】
上記の実施の形態では、ＩＰｖ６によるＩＰアドレスが各装置に与えられているが、ＩＰｖ４の場合であっても各装置にグローバルＩＰアドレスが与えられている場合には、全く同じ方法が適用できる。全装置が同じ空間内のローカルＩＰアドレスが与えられているときも同じである。異なる空間をまたいだネットワークを構築する場合には、一部手法を変更することで適用可能である。
【００４５】
装置には全ての装置で一意となるＩＤを与え、これを基準に装置を管理する。このようなＩＤの与え方としては、一般的にＵＵＩＤ（Universally Unique Identifier）等が用いられる。
【００４６】
ＩＤから直接装置への接続手段が確立できないので、仲介ノードを会した情報伝達方法が必要となってくる。空間を隔てるファイアーウォール（firewall）を介した通信方法が必要になる場合もある。これらは、一般にＰ２Ｐネットワークを構築する際の手法を適用できる。ただし、同じ所有者の装置が別の空間にまたがって存在する場合に本提案手法を用いる場合、仲介ノードが必要となるので、個人用情報を暗号化した上での転送といった方法での実現方法が考えられる。ただし、仲介ノードで個人用情報を復号される危険性は避けられないので、仲介ノードが信用できるノードの場合のみ用いるべきである。
【００４７】
上記の実施の形態では、所有者という概念で装置を分類したが、ノードが１つのグループに属するようなグループの概念であれば、同じ方法が適用できる。例えば、家族というグループでの利用である。
【００４８】
上記の実施の形態では、共有情報が文書というコンテンツであったが、本手法はコンテンツの形式、内容によらず適用可能である。
【００４９】
また、本発明の目的は、上記実施形態の機能を実現するソフトウェアのプログラムコードを記録した記憶媒体（又は記録媒体）を、システム又は装置に供給し、そのシステム又は装置のコンピュータ（又はＣＰＵやＭＰＵ）が記憶媒体に格納されたプログラムコードを読み出し実行することによっても、達成されることは言うまでもない。
【００５０】
この場合、記憶媒体から読み出されたプログラムコード自体が前述した実施形態の機能を実現することになり、そのプログラムコードを記憶した記憶媒体は本発明を構成することになる。
【００５１】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)等が実際の処理の一部又は全部を行い、その処理によって前述した実施形態の機能が実現される場合も含まれることは言うまでもない。
【００５２】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部又は全部を行い、その処理によって前述した実施形態の機能が実現される場合も含まれることは言うまでもない。
【００５３】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５４】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。又は、上記プログラムは、インターネット、商用ネットワーク、若しくはローカルエリアネットワーク等に接続される不図示の他のコンピュータやデータベース等からダウンロードすることにより供給される。
【産業上の利用可能性】
【００５５】
デジタルコンテンツの配布、販売を行うシステムでの個人用情報との共存方法として用いられる可能性がある。
【図面の簡単な説明】
【００５６】
【図１】本発明の実施の形態に係る情報共有装置を実現する文書ビュワーの外観を概略的に示す外観斜視図である。
【図２】図１の文書ビュワーのハードウェア構成を概略的に示すブロック図である。
【図３】図１の文書ビュワーにおける配布文書及びメモ表示例を示す外観斜視図である。
【図４】図２におけるＣＰＵによって実行される文書ビュワーソフトウェアの構成を概略的に説明する図である。
【図５】図４の所有者情報管理部によって実行される所有者情報管理処理の手順を示すフローチャートである。
【図６】図２におけるＵＳＢメモリに記憶されたノードグラフデータを説明する図である。（ａ）は、同一所有者の機器のＩＰアドレスリストを示し、（ｂ）は、同一所有者のノード間の接続関係リストを示し、（ｃ）は、図６（ｂ）の関係を図示したものである。
【図７】図５のステップＳ５０２で実行されるにおけるノードグラフデータ更新処理の手順を示すフローチャートである。
【図８】図２におけるＵＳＢメモリに記憶されたノード追加後のノードグラフを説明する図である。（ａ）は、同一所有者の機器のＩＰアドレスリストを示し、（ｂ）は、同一所有者のノード間の接続関係リストを示し、（ｃ）は、図６（ｂ）の関係を図示したものである。
【図９】図１の文書ビュワーによって実行される文書配布処理の手順を示すフローチャートである。
【符号の説明】
【００５７】
２０１  文書ビュワー
２０２  液晶タッチパネル
２０４  タッチペン
２１１  ＣＰＵ
２１２  メモリ
２１３  ＨＤ装置
２１４  無線ネットワーク
２１５  表示ボード
２１６  液晶ディスプレイ装置
２１８  周辺コントローラ
２２１  ＵＳＢ  Ｉ／Ｆ
【図１】
2007102261.tif 000003
【図２】
2007102261.tif 000004
【図３】
2007102261.tif 000005
【図４】
2007102261.tif 000006
【図５】
2007102261.tif 000007
【図６】
2007102261.tif 000008
【図７】
2007102261.tif 000009
【図８】
2007102261.tif 000010
【図９】
2007102261.tif 000011